(57)【特許請求の範囲】
【請求項１】
燃焼剤と、少なくとも該燃焼剤外周面に装着配置された燃焼芯部からなる燃焼本体の外周面に、セロハンよりなる薄状体を装着配置してなる屋外用ろうそく。
【請求項２】
該薄状体が、防湿性を有するセロハンであることを特徴とする、請求項１記載の屋外用ろうそく。
【請求項３】
該薄状体が、セロハンと合成樹脂とを一体化させた薄状体であることを特徴とする、請求項１記載の屋外用ろうそく。
【発明の詳細な説明】
【０００１】
【発明の属する技術分野】
本発明は、主に屋外で燃焼させる、使用時に燃焼剤が垂れにくいろうそくに関するものである。
【０００２】
【従来の技術】
ろうそくを屋外で燃焼させる場合、屋内での燃焼形態と違って一番問題となるのは風による影響である。屋内で燃焼させる場合には、無風に近い状態であるかあるいは窓や戸口から吹き込む風や空調による風の影響を考慮すればよい。一方屋外で燃焼させる場合には無風に近い状態はほとんど無く、微風から強風までさまざまな強さのそしてさまざまな方向からの風にさらされることを考慮しなければならない。従来の主に屋外で燃焼させるろうそくとしては、風によって燃焼火炎が消されるのを防ぐために燃焼量を多くし燃焼火炎を大きくしたろうそくが用いられている。例えば、ろうを主剤とした燃焼本体の中央部に一般的に使用されているものよりもかなり太い燃焼芯を配置したもの、ろうを主剤とした中心体に布帛を巻き付けその布帛にろうを含浸させて燃焼させるもの、ろうを主剤とした中心体に紙を巻き付けて燃焼させるもの等が使用されている。又、紙、布あるいはプラスチック等の可燃性薄状体より成る外皮体を、ろうそく本体の下端面を除く部分に覆着させたものもある（実開昭６１−１５５３５０）。
さらに本出願人は、特開平１０−１４０１８１において、燃焼剤と、少なくとも該燃焼剤外周面に装着配置された燃焼芯部からなる燃焼本体の外周面に、合成樹脂と植物繊維とを一体化させた薄状の複合体を装着配置してなるローソクを、提案している。
【０００３】
【発明が解決しようとする課題】
しかし従来の、ろうを主剤とした燃焼本体の中央部に一般的に使用されているものよりもかなり太い燃焼芯を配置したろうそくにおいては、強風条件下では安定的な燃焼状態が得られず、場合によっては燃焼火炎が消されることもある。また従来の、ろうを主剤とした中心体に布帛を巻き付けその布帛にろうを含浸させて燃焼させるろうそくでは、屋外での燃焼中に微風から強風までさまざまな強さのそしてさまざまな方向からの風にさらされた場合にも燃焼火炎が消されることはほとんど無いが、燃焼中に熔融した燃焼剤がろうそく側面に沿って垂れろうそく下部にて固化し、あるいは強風によりろうそく足元周辺に飛び散り汚し見苦しく、また燃焼後も残渣として残るという問題があった。ろうそくの燃焼終了後、この残渣の除去に多大の労力を要している。また、燃焼中に熔融し、ろうそく側面に沿って垂れろうそく下部にて固化した燃焼剤は見苦しいばかりでなく、燃焼すべき燃焼剤が燃焼に使われずに垂れろうそく下部にて固化することで燃焼時間が大幅に短縮するという問題があった。そればかりか、多数のろうそくを一時に燃焼させる演出形態においては、熔融した燃焼剤が垂れたろうそくは他のものより非常に早く燃焼が終了しその部分だけ燃焼火炎がない状態となり、炎による演出効果を大幅に減少させるものとなる。
【０００４】
実開昭６１−１５５３５０号公報に提案されているろうそくにおいては、熔けたろうは外皮体内を毛細管現象により上昇し燃焼する。つまり、該外皮体自身が燃焼芯部となるため、燃焼量の多い大きな燃焼火炎となり比較的強風の条件下においても燃焼火炎が風により消えるのを防ぐ効果は期待できる。しかし熔融したろうが垂れるのを防ぐ効果については、該外皮体が紙、布等からなるものであれば熔融したろうは紙、布等から滲み出てしまうので、もちろんその効果は期待できないし、フィルム状プラスチックが該外皮体に使用してあっても、該外皮体自身が燃焼芯部となるため、風によりなびいた燃焼火炎により該外皮体のフィルム状プラスチックは容易に熔融してしまい、熔融したろうが垂れるのを防ぐ効果はほとんど期待できない。また、特開平１０−１４０１８１に提案されたローソクにおいては、それ以前のものに比べて格段にロウ垂れ率が改善されているが、燃焼本体と複合体との密着性の程度によっては、該複合体が部分的に燃えやすい部分ができたり、該燃焼本体と該複合体との隙間から燃焼剤が漏れ出すこともあり、尚も１０％〜２０％程度のロウ垂れ率を示している。また、実際上は、燃焼本体の外周面に薄状の複合体を密着させて装着することは難しい場合が多く、該複合体が部分的に浮くことが起こりがちである。このため、製品としてやや安定性に欠け、ロウ垂れ率についてもやや大きなばらつきを示すこととなる。
【０００５】
本発明の目的は、主に屋外で燃焼させる、燃焼火炎が風により消えにくく、かつ燃焼中に熔融した燃焼剤が垂れにくい屋外用ろうそくを提供することにある。
【０００６】
【課題を解決するための手段】
すなわち、第一の発明は、燃焼剤と、少なくとも該燃焼剤外周面に装着配置された燃焼芯部からなる燃焼本体の外周面に、セロハンよりなる薄状体を装着配置してなる屋外用ろうそくであり、第二の発明は、該薄状体が、防湿性を有するセロハンであることを特徴とする、第一の発明に記載の屋外用ろうそくであり、第三の発明は、該薄状体が、セロハンと合成樹脂とを一体化させた薄状体であることを特徴とする、第一の発明に記載の屋外用ろうそくである。
【０００７】
本発明の屋外用ろうそくは、熔融したロウを吸い上げ燃焼させる燃焼芯部を燃焼剤外周面に装着配置しているので燃焼量が大きく、屋外で強風条件下での使用においても燃焼火炎が風により消えにくい。また本発明における薄状体は天然繊維素（パルプ）を原料として作られたセロハンよりなるため、熔融した燃焼剤を浸透させず、また合成樹脂薄状体のごとく熱軟化、熱熔融することがない。さらに、燃焼本体の外周面に装着配置された該薄状体は、該燃焼剤外周面に装着配置された該燃焼芯部と接しているので、燃焼過程において燃焼量の大きい燃焼火炎にさらされることとなり、セロハンよりなる該薄状体は熱で炭化し燃焼する。このため本発明の屋外用ろうそくでは、該薄状体が該燃焼本体よりもやや残りがちな状態で燃焼が進んでゆき、適度な所で適宜炭化燃焼し燃える。このように、該薄状体は、該薄状体で囲まれた該燃焼本体上部に熔融した燃焼剤を溜め置くことができるという優れた特性を持つ。さらに該薄状体として、薄いフィルム状物が使用できるので、該燃焼本体への装着配置において該燃焼本体との密着性を極めてよくすることができ、該燃焼本体と該薄状体との隙間から燃焼剤が漏れ出すのを防止できる。即ち、該薄状体は、熔融した燃焼剤が垂れるのを防ぐ堰としての機能を十分に発揮でき、風によりなびいた燃焼火炎によって熔融した燃焼剤が屋外用ろうそく側面に沿って垂れる現象を引き起こしにくく、さらに該燃焼本体と該薄状体との隙間から燃焼剤が漏れ出すことはほとんど無く、本発明の屋外用ろうそくを燃焼剤が垂れにくく極めて燃焼残渣の少ない、屋外用ろうそくとしている。
【０００８】
また本発明の屋外用ろうそくにおいては、薄状体がセロハンよりなり毛細管現象は起こらないので、熔融した燃焼剤が該薄状体中を毛細管現象によって上昇することはなく、該薄状体自身が燃焼芯部となり燃焼してしまい、堰としての機能を果たさなくなってしまうといった現象を引き起こすことはない。また、該薄状体を燃焼本体の外周面に密着させて装着することが容易となり、該薄状体が部分的に浮くこともなく、製品として際立った安定性を示し、ロウ垂れ率についても極めて低い安定した数値を示すこととなる。このように本発明の屋外用ろうそくは、燃焼中に熔融した燃焼剤が屋外用ろうそく側面に沿って垂れ屋外用ろうそく下部にて固化し、あるいは強風により屋外用ろうそく足元周辺に飛び散ることによる見苦しさや周辺の汚れを軽減し、燃焼後に多量の残渣が発生することもないのでその残渣の除去の手間が省け、また燃焼すべき燃焼剤が燃焼に使われずに垂れることにより燃焼時間が大幅に短縮することもなく十分な燃焼時間が確保できる。所定の燃焼時間どおりの燃焼時間が達成できるので、多数の屋外用ろうそくを一時に燃焼させる演出形態においては、すべての屋外用ろうそくの燃焼時間をほぼ同じとすることができ、一部分だけ燃焼火炎がない状態を生じることもなく、従来のものには無い際立った炎の演出効果が可能となるものである。さらに、燃焼残渣が極めて少ないため、燃焼終了後、多数の屋外用ろうそくの垂れた燃焼剤の残渣の除去に要する労力を大幅に軽減できることとなる。また、セロハンは印刷特性が良く、該薄状体には着色、装飾、図案、文字等自由に加えることができ、意匠の幅を拡大させ、極めて装飾性に富んだ屋外用ろうそくを提供できることとなる。さらに、屋外イベント、祭り、宗教行事などの使用雰囲気に合わせた、多彩な装飾効果を簡便、簡易に得ることが可能となった。
【０００９】
【発明の実施の形態】
以下に、上記本発明の屋外用ろうそくの一例を図面にて説明する。
図１は、本発明の屋外用ろうそくの一例の断面図である。燃焼芯部１は燃焼剤３の外周面に装着され、薄状体４が該燃焼芯部１の外周面に装着配置された屋外用ろうそくである。また、図２は、本発明の屋外用ろうそくの他の一例を示す断面図であり、燃焼剤３の内部に中央燃焼芯２、さらに外周面に燃焼芯部１を有し、薄状体４が該燃焼芯部１の外周面に装着配置された屋外用ろうそくである。さらに図３は、本発明の屋外用ろうそくのさらに他の一例を示す断面図であり、燃焼芯部１は燃焼剤３の外周面に装着され且つ燃焼剤３の上部で絞り込まれていて、該燃焼芯部１の外周面に装着配置された薄状体４が屋外用ろうそく底部をも覆っている屋外用ろうそくである。
【００１０】
本発明で使用する燃焼本体５は、燃焼剤３と、少なくとも該燃焼剤外周面に装着配置された燃焼芯部１からなり、該燃焼剤３としては、例えばパラフィンワックスなどの炭化水素系化合物、ステアリン酸などの高級脂肪酸、木蝋や蜜蝋などの高級脂肪酸と高級アルコールとのエステル、ステアリルアルコールなどの高級脂肪族アルコールなどを主成分とした公知の燃焼剤が使用できる。
【００１１】
本発明の屋外用ろうそくの燃焼剤３外周面に装着配置される燃焼芯部１は、植物繊維あるいはレーヨンなどの再生セルロース系繊維により構成された紙、布、糸、紐等からなる。熔融した燃焼剤を容易に吸い上げる毛細管現象を有する素材、形態のものであれば公知のものが、該燃焼芯部１の構成素材として使用できる。該燃焼芯部１は、該燃焼剤３外周面全部又は一部に装着配置される。該燃焼芯部１の構成素材が熔融したロウを吸い上げ易い素材であり、また該燃焼芯部１の装着配置形態が該燃焼剤３外周面を覆う割合が大きいほど、熔融したロウを吸い上げる量が多く燃焼量の大きい該屋外用ろうそくとなる。
また、燃焼剤３の内部に中央燃焼芯２が挿入配置された公知のろうそくの外周面に燃焼芯部１を装着配置して、本発明の屋外用ろうそくで使用する燃焼本体５としてもよい。この場合の、該燃焼剤３の内部に挿入配置された該中央燃焼芯２については、一般に使用されている公知の燃焼芯が使用できる。さらに、該燃焼本体５として、例えば、従来のろうを主剤とした中心体に布帛を巻き付けその布帛にろうを含浸させて燃焼させる屋外用ろうそくの様な、燃焼体の外周部に燃焼芯部を有する公知の屋外用ろうそくを使用してもよい。
該燃焼本体５の形状はその形状や大きさなど特に限定されないが、薄状体４を該燃焼本体５の外周面に装着させ熔融した燃焼剤を溜め置く機能を発揮させるためには、凹凸の多くない単純な形状が好ましい。従来多く使用されている棒状の燃焼本体はもとより、円柱形状、角柱形状、円錐形状や逆円錐形状、円錐台形状、逆円錐台形状などは該燃焼本体５への該薄状体の装着のしやすさにより特に望ましい。
【００１２】
さて、燃焼本体５の外周面に装着される薄状体４は、熔融した燃焼剤が垂れるのを防ぐ堰としての機能を発揮するためには、耐熱性及び耐熔融性を有しかつ熔融した燃焼剤を浸透させないという特性が必要である。また該薄状体４は、屋外用ろうそくの燃焼火炎にさらされても容易には熔融あるいは燃焼しないものの、燃焼過程において該燃焼本体５よりも残り過ぎると燃焼火炎が小さくなりがちとなるため、屋外用ろうそくの燃焼と共に徐々に燃焼してゆくことが必要である。
【００１３】
上記の薄状体４の備えるべき特性を検討した結果、本出願人は、特開平１０−１４０１８１において、合成樹脂と植物繊維とを一体化させ薄状にしたものを採用した。しかしながら特開平１０−１４０１８１に提案されたローソクにおいては、燃焼本体と複合体との密着性の程度によっては、該複合体が部分的に燃えやすい部分ができたり、該燃焼本体と該複合体との隙間から燃焼剤が漏れ出すこともあった。また実際上は、燃焼本体の外周面に薄状の複合体を密着させて装着することは難しい場合が多く、該複合体が部分的に浮くことが起こりがちである。このため、製品としてやや安定性に欠け、ロウ垂れ率についてもやや大きなばらつきを示すこととなる。
【００１４】
そこで、一般の合成樹脂フィルムのように、溶融ロウが浸透しない、すなわち毛細管現象を生じ得ないフィルム様薄状体であって、かつ合成樹脂フィルムのように熱により軟化溶融することのない、耐熱性を有し熱で炭化し燃焼するセルロースよりなる紙様の特性を有するものであればロウ垂れ防止に有効な薄状体になると考えた。この目的に合致するフィルム素材を検討した結果、再生セルロースを原料とするセロハンが要求される特性を満たすことがわかった。
したがって、セロハンは、燃焼本体５にきつく巻きつけ配されることで、溶融ロウを滲み出し漏らすことなく、かつ該フィルムが燃焼火炎で熱溶融することなく、徐々に炭化しつつ燃えてゆく。すなわち、燃焼本体５中の溶融ロウのやや上方で残りがちとなることで、溶融ロウを溜めおく堰としての目的を有効に達成できることとなる。さらにセロハンは燃焼残渣も極めて少なく好ましい。
【００１５】
本発明の屋外ろうそくに使用されるセロハンの厚みは、その厚みを増すにしたがい、燃焼の際により残りがちとなりロウ垂れ防止により有効となるが、火力、火勢を弱める傾向となり、薄いと、燃焼火炎により燃え消耗が速くなる為、火力、火勢を弱めることはないがロウ垂れ防止の効果が低下する傾向となる。したがって、使用するセロハンの厚みは、燃焼量との兼ね合いで適宜選択決定することが好ましい。
燃焼量の比較的小さい燃焼本体５には薄いタイプのフィルムを、燃焼量の比較的大きい燃焼本体５には厚いタイプのフィルムを使用すればよいが、燃焼量の比較的大きい燃焼本体５に、薄いタイプのフィルムを２重、３重等の多重巻きすることで厚いタイプのフィルムと同等の性能を付与させることも可能である。その使用するセロハンは、市販される汎用のセロハンでよく、さらに厚みは２０〜５０μ程度のフィルムが好ましく使用される。
【００１６】
またセロハンは、セロハンの日本工業規格、ＪＩＳ．Ｚ１５２１において、普通セロハンと防湿セロハンに大別されており、普通セロハンは通常添加されるグリセリンあるいはグリコール類などの柔軟剤の種類、含量などにより、程度こそ異なるが吸湿性があり、湿気や水により吸湿あるいは吸水することで膨潤したり、乾くとしわが寄ったりする傾向がある。本発明の屋外用ろうそくは、四季を通して、風雨にさらされ灯されることもあり、雨水によるセロハンの吸水膨潤により燃焼火炎の火力、火勢が低下する場合があるので、防湿タイプのセロハンを使用することが好ましい。さらには、保管中の湿気によるセロハンの吸湿、乾燥によりフィルム表面にしわを生じることも製品価値を低下させる意味で好ましくなく、防湿タイプのセロハンを使用する方が好ましい場合がある。
【００１７】
本発明の屋外用ろうそくに使用される防湿性を有するセロハンとしては、公知技術による市販汎用の防湿セロハンが使用できる。該防湿セロハンは防湿樹脂を溶剤に溶解した防湿樹脂液をセロハンの片面又は両面に塗布乾燥して製造される。該防湿樹脂としては、塩化ビニル系のもの、塩化ビニリデン系のもの、硝化綿系のものが使用され、また、両面防湿セロハン、片面防湿セロハン、両面防湿でかつヒートシール性を有するセロハンなどが知られており、本発明の屋外用ろうそくの想定される仕様に合致するタイプの防湿セロハンを適宜選択すればよい。
【００１８】
また、セロハンには、一般に引き裂きに対する抵抗性が小さく、裂けやすい欠点があり、ろうそくの製造時にあるいは取り扱い時に、例え部分的にでもフィルムに小さな裂け目が生じると、裂け目が拡大したり、使用中に燃焼火炎で熱せられ裂け目が拡がることとなり、ロウ垂れを効果的に防止することが期待できなくなる。また、セロハンは吸湿性、吸水性があり保管、使用時に不都合を生じる場合がある。一方合成樹脂は、一般に裂けにくく吸湿性、吸水性を有しない特性があり、セロハンと共に使用することで、セロハンの不都合な点を補う効果を発揮する。
したがって、セロハンと合成樹脂とを一体化させた薄状体が好ましく使用される。
【００１９】
セロハンと合成樹脂とを一体化させ薄状体となす形態としては、セロハン表面の片面あるいは両面に合成樹脂をコーティングする形態あるいは、セロハン表面の片面あるいは両面に合成樹脂薄状体とを貼り合せ薄状体とする形態、さらには合成樹脂をコーティングしたセロハンと合成樹脂薄状体とを貼り合せた薄状体とする形態等がある。また、該薄状体としては、セロハンと合成樹脂薄状体とを重ね合わせ、互いに隙間のないように密着状態とした薄状体を使用しても良い。その際、互いに十分に密着し、部分的にも空隙部が形成されることのない重ね合わせ状態であれば、該薄状体としての特性を十分発揮できる。さらに、上記手法の組み合わせによって構成された薄状体も使用できる。
【００２０】
セロハン表面にコーティングする合成樹脂としては、特に限定されないが、例えば酢酸セルロース等のセルロース系合成樹脂、ポリ塩化ビニル、ポリ塩化ビニリデン、ポリスチレン、ポリカーボネート、ポリイミド等が使用可能である。また、セロハンと合成樹脂薄状体とを貼り合せた薄状体を構成する合成樹脂薄状体は特に限定されないが、例えば延伸ポリプロピレン、未延伸ポリプロピレン、ポリエチレン等のポリオレフィン系合成樹脂、酢酸セルロース等のセルロース系合成樹脂、ポリ塩化ビニル、ポリ塩化ビニリデン、ポリスチレン、ポリカーボネート、ナイロン等が使用でき、さらに例えば普通セロハン＋ポリエチレン、防湿セロハン＋ポリエチレン、普通セロハン＋ポリプロピレン、防湿セロハン＋ポリエチレン＋ポリプロピレン等のセロハンと合成樹脂との構成の薄状体が市販されており汎用性がある。
【００２１】
また、本発明の屋外用ろうそくの一形態として、燃焼本体５の燃焼芯部１に防水加工を施し、防湿タイプのセロハンよりなる薄状体４を装着配置するものがある。このように構成された該屋外用ろうそくは、水に浮かべて灯すフローティングタイプの屋外用ろうそくとして使用でき、従来のものと比べてロウ垂れの格段に少ない優れたろうそくとすることができる。
【００２２】
本発明の屋外ろうそくの燃焼本体５に、セロハンよりなる薄状体４を装着配置する手段としては、あらかじめ成形された燃焼本体５の外周面に薄状体４を巻き付け、公知の粘着あるいは接着の手段を用いて固定してもよいし、また、あらかじめ公知の粘着あるいは接着の手段を用いて該薄状体４で燃焼本体５の外皮状物を成形し、これに成形された燃焼本体５を挿入固定してもよい。このとき、該薄状体４は該燃焼本体５の外周面に層状に複数回配置されてもよい。また、必要に応じて該燃焼本体５と該薄状体４とを粘着あるいは接着し装着固定してもよい。このとき、該薄状体４は燃焼本体５の底部を覆ってもよいし覆わなくてもよい。 さらに、例えば燃焼剤外周面に装着配置された燃焼芯部に、溶融した燃焼剤を部分的あるいは全部を含浸させた後に該薄状体４を巻きつけ、セロハン粘着テープで粘着固定してもよいし、粘着剤を塗布した該薄状体４を巻きつけ装着してもよい。また所定幅のセロハン粘着テープを、巻き付けた隙間からロウ漏れを生じさせない程度の重なりをもたせてらせん状に巻きつけ装着させる、などの手段も使用できる。
【００２３】
本発明の屋外ろうそくにおいては、薄状体４は燃焼本体５の外周面にできるだけ密に装着されていることが望ましい。装着時に該燃焼本体５と該薄状体４の間に空隙があったり、装着後、又は屋外用ろうそく使用時に該薄状体が変形し、該燃焼本体５と該薄状体の間に空隙が生じた場合、該薄状体４が燃焼本体５よりも先に燃焼しがちとなり、熔融した燃焼剤が垂れるのを防ぐ機能が効果的に発揮できなくなり、好ましくない。
【００２４】
本発明の屋外用ろうそくの薄状体４に、図５のように、所望の色、模様を付け加えたり、書き込み、印刷、転写などの公知の手段で図案、文字等を加えることもできる。さらに、装飾を付加させることもでき、そうすることにより、屋外イベント、祭り、宗教行事などの使用雰囲気に合わせた、多彩な装飾効果を簡便、簡易に得ることが可能となった。
【００２５】
【実施例】
次に、本発明の屋外用ろうそくを実施例及び比較例を用いてさらに具体的に説明する。
実施例１、実施例２及び比較例１、比較例２： パラフィンワックスを主剤とした直径３５ｍｍ、長さ２００ｍｍの円柱形状の燃焼剤の外周面に、市販の障子用和紙を巻きつけ燃焼芯部とし、該燃焼芯部にパラフィンワックスを含浸させた燃焼本体を６本用意し、その燃焼本体３本の外周面には厚７０μ、幅５０ｍｍの２軸延伸ポリプロピレンテープ（ＯＰＰテープ）を該外周面に重なりが１０ｍｍ程度となるようにラセン状にきつく巻き付けた屋外用ろうそくを比較例１サンプルとした。また、残りの３本の燃焼本体の外周面に厚２３μの防湿セロハンを２重になるようにきつく巻く付け、セロハン粘着テープで粘着固定した屋外用ろうそくを実施例１サンプルとした。
さらに、パラフィンワックスを主剤とした直径３５ｍｍ、長さ２００ｍｍの円柱形状の燃焼剤の外周面に、市販のさらし布を巻きつけ燃焼芯部とし、該燃焼芯部にパラフィンワックスを含浸させた燃焼本体を６本用意し、その燃焼本体３本の外周面には、上質紙の両面に厚２５μの２軸延伸ポリプロピレンフィルム（ＯＰＰフィルム）を合成ゴム系粘着剤で貼り合せた複合体を燃焼本体にきつく巻きつけポリプロピレンテープで粘着固定した屋外用ろうそくを比較例２サンプルとした。また、残りの３本の燃焼本体の外周面に厚５０μ、幅５０ｍｍのセロハン粘着テープを重なりが１０ｍｍ程度となるようにラセン状にきつく巻き付けた屋外用ろうそくを実施例２サンプルとした。
【００２６】
この実施例１サンプル及び実施例２サンプル、比較例１サンプル及び比較例２サンプルを用い、屋外に地上高５０ｃｍの高さに、それぞれのサンプルが実施例サンプルと比較例サンプルが交互になるように５０ｃｍの等間隔に一直線上に配置し、ガストーチを用いて燃焼芯部に点火し、各サンプルの燃焼特性及び燃焼剤の垂れの状態を観察し、また各サンプルの燃焼終了までの燃焼時間及び燃焼終了までの垂れた燃焼剤の重量を測定した。さらに、点火前のろうそく重量に対する燃焼終了までに垂れた燃焼剤の重量の割合をロウ垂れ率とした。なお、その際、平均風速３〜５ｍ／秒程度の中風で、時折、瞬間８〜１０ｍ／秒程度の強風が吹く有風条件であった。実施例１サンプルの、燃焼初期の状態及び燃焼終了近くの状態を、それぞれ、図４（ａ）及び図４（ｂ）に示す。またその結果は、表１記載のとおりである。
【００２７】
【表１】
0004632004.tif 000002
【００２８】
比較例１サンプルは、無風ないし弱風の際にはさほどのロウ垂れはなかったが、中風もしくは強風の有風条件下では風下側に倒れた燃焼火炎により燃焼本体の外周面に巻き付けたＯＰＰテープが３サンプルとも容易に溶融してしまい、すべてのサンプルで風下側に多量のロウの垂れを生じた。また、比較例２サンプルは、比較例１に比較して中風ないし強風の条件下でも、３本の内２本はロウ垂れがかなり少なく抑えられた。残りの１本は、一度複合体の外表面のＯＰＰフィルムが溶融し始めると垂れたロウが上質紙に浸透し燃え、さらにロウ垂れを助長させる傾向が認められた。表１に示すように比較例１サンプルのロウ垂れ率は平均３８％となり、燃焼すべき燃焼剤が燃焼に使われずに垂れた結果、燃焼時間が平均７５分程度と短くなり、また比較例２サンプルでは、平均ロウ垂れ率は１２％程度と比較例１サンプルに比較してかなり低く抑えられるものの、ロウ垂れ率が最大２１％、最小６％とばらつきが大きく、その結果、燃焼時間も最大１１５分、最小９５分とばらつく結果となった。
【００２９】
一方、実施例１サンプル及び実施例２サンプルでは、無風ないし弱風の際にはロウ垂れは認められず、中風もしくは強風条件下でも、比較例１サンプル、比較例２サンプルに比べて格段にロウ垂れは少なかった。表１に示すように実施例１サンプル、実施例２サンプルにおいては各サンプル間のばらつきも少なく、そのロウ垂れ率は共に平均３％と、極めて低い数値となった。
【００３０】
【発明の効果】
上記構成により本発明の屋外用ろうそくは、熔融したロウを吸い上げ燃焼させる燃焼芯部を燃焼剤外周面に装着配置しているので燃焼量が大きく、屋外で強風条件下での使用においても燃焼火炎が風により消えにくい。また本発明における薄状体は天然繊維素（パルプ）を原料として作られたセロハンよりなるため、熔融した燃焼剤を浸透させず、また合成樹脂薄状体のごとく熱軟化、熱熔融することがない。さらに、燃焼本体の外周面に装着配置された該薄状体は、該燃焼剤外周面に装着配置された該燃焼芯部と接しているので、燃焼過程において燃焼量の大きい燃焼火炎にさらされることとなり、セロハンよりなる該薄状体は熱で炭化し燃焼する。このため本発明の屋外用ろうそくでは、該薄状体が該燃焼本体よりもやや残りがちな状態で燃焼が進んでゆき、適度な所で適宜炭化燃焼し燃える。このように、該薄状体は、該薄状体で囲まれた該燃焼本体上部に熔融した燃焼剤を溜め置くことができるという優れた特性を持つ。さらに該薄状体として、薄いフィルム状物が使用できるので、該燃焼本体への装着配置において該燃焼本体との密着性を極めてよくすることができ、該燃焼本体と該薄状体との隙間から燃焼剤が漏れ出すのを防止できる。即ち、該薄状体は、熔融した燃焼剤が垂れるのを防ぐ堰としての機能を十分に発揮でき、風によりなびいた燃焼火炎によって熔融した燃焼剤が屋外用ろうそく側面に沿って垂れる現象を引き起こしにくく、さらに該燃焼本体と該薄状体との隙間から燃焼剤が漏れ出すことはほとんど無く、本発明の屋外用ろうそくを燃焼剤が垂れにくく極めて燃焼残渣の少ない、屋外用ろうそくとしている。
【００３１】
また本発明の屋外用ろうそくにおいては、薄状体がセロハンよりなり毛細管現象は起こらないので、熔融した燃焼剤が該薄状体中を毛細管現象によって上昇することはなく、該薄状体自身が燃焼芯部となり燃焼してしまい、堰としての機能を果たさなくなってしまうといった現象を引き起こすことはない。また、該薄状体を燃焼本体の外周面に密着させて装着することが容易となり、該薄状体が部分的に浮くこともなく、製品として際立った安定性を示し、ロウ垂れ率についても極めて低い安定した数値を示すこととなる。このように本発明の屋外用ろうそくは、燃焼中に熔融した燃焼剤が屋外用ろうそく側面に沿って垂れ屋外用ろうそく下部にて固化し、あるいは強風により屋外用ろうそく足元周辺に飛び散ることによる見苦しさや周辺の汚れを軽減し、燃焼後に多量の残渣が発生することもないのでその残渣の除去の手間が省け、また燃焼すべき燃焼剤が燃焼に使われずに垂れることにより燃焼時間が大幅に短縮することもなく十分な燃焼時間が確保できる。所定の燃焼時間どおりの燃焼時間が達成できるので、多数の屋外用ろうそくを一時に燃焼させる演出形態においては、すべての屋外用ろうそくの燃焼時間をほぼ同じとすることができ、一部分だけ燃焼火炎がない状態を生じることもなく、従来のものには無い際立った炎の演出効果が可能となるものである。さらに、燃焼残渣が極めて少ないため、燃焼終了後、多数の屋外用ろうそくの垂れた燃焼剤の残渣の除去に要する労力を大幅に軽減できることとなる。また、セロハンは印刷特性が良く、該薄状体には着色、装飾、図案、文字等自由に加えることができ、意匠の幅を拡大させ、極めて装飾性に富んだ屋外用ろうそくを提供できることとなる。さらに、屋外イベント、祭り、宗教行事などの使用雰囲気に合わせた、多彩な装飾効果を簡便、簡易に得ることが可能となった。
【図面の簡単な説明】
【図１】本発明の屋外用ろうそくの一例を示す断面図である。
【図２】本発明の屋外用ろうそくの他の一例を示す断面図である。
【図３】本発明の屋外用ろうそくのさらに他の一例を示す断面図である。
【図４】本発明の屋外用ろうそくの燃焼状態の一例を示す断面図である。
【図５】本発明の屋外用ろうそくのさらに他の一例を示す正面図である。
【符号の説明】
１ 燃焼芯部
２ 中央燃焼芯
３ 燃焼剤
４ 薄状体
５ 燃焼本体
【図１】
0004632004.tif 000003
【図２】
0004632004.tif 000004
【図３】
0004632004.tif 000005
【図４】
0004632004.tif 000006
【図５】
0004632004.tif 000007